(57)【要約】【課題】受信機から送信機へのデータ再送の要求回数を増やし、受信機における受信データの再現性を向上させる。【解決手段】通信開始時に送信機１０を用いて第１〜第Ｎ受信機２０のポーリング処理を行うことにより、通信可能な受信機（第１受信機・第２受信機２０）の固有ＩＤを格納したポーリングリストを作成し、作成されたポーリングリストに基づき、送信機１０に第１および第２受信機２０のポーリング処理を実行させる。【選択図】　図１
2004072435.tif 000002
【特許請求の範囲】
【請求項１】
１台の送信機と複数の受信機との間におけるデータ伝送の管理方法において、
通信開始時に上記送信機を用いて全受信機のポーリング処理を行うことにより、通信可能な受信機の識別情報を格納したポーリングリストを作成する第１ステップと、
上記ポーリングリストに基づき、上記送信機に上記複数の受信機のポーリング処理を実行させる第２ステップとを備えていることを特徴とするデータ伝送の管理方法。
【請求項２】
上記第２ステップにて、上記ポーリングリストに識別情報が格納されている受信機のみに上記送信機からダウンリンク情報を送信することを特徴とする請求項１に記載のデータ伝送の管理方法。
【請求項３】
上記第２ステップにて、上記ポーリングリストに識別情報が格納されている受信機のみから上記送信機に対して、アップリンク情報を送信することを特徴とする請求項１または２に記載のデータ伝送の管理方法。
【請求項４】
上記第１ステップと上記第２ステップとを交互に繰り返して実行することを特徴とする請求項１ないし３のいずれか１項に記載のデータ伝送の管理方法。
【請求項５】
上記第２ステップにて、上記送信機がポーリング処理を行うことができない受信機の識別情報を、上記ポーリングリストから除外することを特徴とする請求項４に記載のデータ伝送の管理方法。
【請求項６】
上記第２ステップを実行した後に実行される上記第１ステップにおいて、該第２ステップでポーリング処理されていない受信機のみをポーリング処理することを特徴とする請求項４または５に記載のデータ伝送の管理方法。
【請求項７】
上記第２ステップにおいて、全部の受信機についてポーリング処理が行われている場合、前回の第２ステップで用いたポーリングリストをそのまま次回の第２ステップで用いることを特徴とする請求項４または５に記載のデータ伝送の管理方法。
【請求項８】
上記ポーリングリストに格納されている受信機の識別情報の数に応じて、以下の（ｉ）または（ｉｉ）の処理、すなわち
（ｉ）上記第２ステップを実行した後に実行される上記第１ステップにおいて、該第２ステップでポーリング処理されていない受信機のみをポーリング処理する処理
（ｉｉ）前回の第２ステップで用いたポーリングリストをそのまま次回の第２ステップで用いる処理
のいずれかを実行することを特徴とする請求項４または５に記載のデータ伝送の管理方法。
【請求項９】
上記ポーリングリスト内に識別情報が格納されている各受信機のデータ通信状態に基づき、各受信機からの上記送信機に対するデータ再送の要求回数を決定することを特徴とする請求項１ないし８のいずれか１項に記載のデータ伝送の管理方法。
【請求項１０】
上記送信機との通信状態が悪い受信機については、それ以外の受信機よりもデータ再送の要求回数を多く設定することを特徴とする請求項９に記載のデータ伝送の管理方法。
【請求項１１】
上記送信機との通信状態が悪い受信機については、該受信機との通信を停止するとともに、
上記送信機との通信状態が良好である受信機について、それ以外の受信機よりもデータ再送の要求回数を多く設定することを特徴とする請求項９に記載のデータ伝送の管理方法。
【請求項１２】
上記受信機が受信したデータのエラーレート情報を、該受信機の上記送信機に対するデータ再送の要求と同時に、該受信機から上記送信機に送信することを特徴とする請求項９ないし１１のいずれか１項に記載のデータ伝送の管理方法。
【請求項１３】
上記受信機から該送信機に対して再送の要求があったデータのエラーレートを、上記送信機により算出することを特徴とする請求項９ないし１１のいずれか１項に記載のデータ伝送の管理方法。
【請求項１４】
上記受信機が受信したデータのエラーレート情報を、該受信機の上記送信機に対するデータ再送の要求と同時に、該受信機から上記送信機に送信する一方で、
上記受信機から該送信機に対して再送の要求があったデータのエラーレートを、上記送信機により算出することを特徴とする請求項９ないし１１のいずれか１項に記載のデータ伝送の管理方法。
【請求項１５】
１台の送信機と複数の受信機との間におけるデータ伝送の管理システムにおいて、
上記送信機は、通信開始時に上記送信機を用いて全受信機のポーリング処理を行うことにより、通信可能な受信機の識別情報を格納したポーリングリストを作成するとともに、
上記ポーリングリストに基づき、各受信機に対するポーリング処理を実行することを特徴とするデータ伝送の管理システム。
【発明の詳細な説明】
【０００１】
【発明の属する技術分野】
本発明は、ＳＳ（Ｓｐｒｅａｄ　Ｓｐｅｃｔｒｕｍ：スペクトラム拡散）無線伝送システムにおける、１台の送信機と複数台の受信機との間におけるデータ伝送の管理方法および管理システムに関する。
【０００２】
【従来の技術】
従来、１台の送信機に対して複数台の受信機または子機がある場合には、送信機から受信機へのダウンリンク情報は放送形態にて送信される。したがって、通信可能な全受信機は、ダウンリンク情報を受信することができる。一方、受信機から送信機へのアップリンク情報は、複数の受信機が共通の通信システムを使用するマルチアクセス方式にて送信されることが一般的である。
【０００３】
マルチアクセス方式では、１回の通信サイクルに通信可能な受信機がアップリンク情報の送信を行う為、複数の受信機のアップリンク情報が一度に送信機に送られることがある。このような状況を回避する為に、以下に説明するポーリング方式を取ることが多い。
【０００４】
ポーリング方式では、送信機が通信可能な受信機に対して受信機番号を割振り、全受信機の１つ１つと順次通信を行うことにより、受信機からのアップリンク情報が送信機に同時送信されることを防いでいる。したがって、受信機の電源ＯＮ／ＯＦＦによる受信機の通信可能状態の管理を容易に行うことができる。
【０００５】
図４を参照しつつ、上述の通信管理の方法について具体的に説明する。図４に示すように、送信機１００は、第１受信機２００に通信許可のデータを付加したダウンリンク情報を送信する。一方、第１受信機２００は、後述する再送要求等のデータをアップリンク情報に付加して送信機１００に送信する。なお、この際、第２〜第Ｎ受信機２００は、ダウンリンク情報の受信は可能であるが、アップリンク情報を送信機１００に送信することはできない。このように、第１受信機２００のみが送信機１００と、ダウンリンク情報およびアップリンク情報の通信を行う状態を、ステップ１（以下、単にステップをＳと記載する）の状態とする。
【０００６】
次に送信機１００は、第２受信機２００に通信許可のデータを付加したダウンリンク情報を送信する。一方、第２受信機２００は、再送要求等のデータをアップリンク情報に付加して送信機１００に送信する。この時、第１，第３〜第Ｎ受信機２００は、ダウンリンク情報の受信は可能であるが、アップリンク情報を送信することはできない。このように、第２受信機２００のみが送信機１００と、ダウンリンク情報およびアップリンク情報の通信を行う状態を、Ｓ２の状態とする。
【０００７】
その後、第ｉ受信機２００のみが送信機１００とダウンリンク情報およびアップリンク情報の通信を行う状態を、第３受信機２００〜第Ｎ受信機２００まで順次行う。そして、第Ｎ受信機２００と送信機１００との通信（Ｓｎ）の終了後、Ｓ１に戻る。
【０００８】
また、各受信機は、受信したダウンリンク情報中の画像データを誤り訂正した後、その画像データをメモリに一時的に格納する一方で、誤り訂正できなかったデータを再送するよう送信機に対して要求する。
【０００９】
【発明が解決しようとする課題】
しかしながら、メモリの容量やＭＰＥＧ（Ｍｏｔｉｏｎ　Ｐｉｃｔｕｒｅ　Ｅｘｐｅｒｔｓ　Ｇｒｏｕｐ）レート等により、各受信機が再送要求できる回数は異なる。一方で、第１受信機から第Ｎ受信機までの通信を終了させるための時間は、一定に限られているのが通常である。したがって、複数台の受信機が通信状態にある場合には、通信状態の悪い受信機が通信状態を回復させるために何度も再送要求を繰り返すと、他の通信可能な受信機の再送要求の回数が減少してしまう場合がある。
【００１０】
さらに、送信機は通信不可能な受信機に対してもアップリンク情報の要求を行うので、たとえば無線による画像データの通信のように、データ誤りの多い通信形態において、通信可能な受信機からの再送要求回数が減少する場合がある。その結果、画像停止あるいはブロックノイズ等が生じ、受信機における受信画像の品質が劣化するという問題が生じる。
【００１１】
本発明は、上記従来の問題点に鑑みなされたものであって、その目的は、受信機から送信機へのデータ再送の要求回数を増やし、受信機における受信データの再現性を向上させることができるデータ伝送の管理方法および管理システムを提供することを目的とする。
【００１２】
【課題を解決するための手段】
本発明のデータ伝送の管理方法は、上記課題を解決するため、１台の送信機と複数の受信機との間におけるデータ伝送の管理方法において、通信開始時に上記送信機を用いて全受信機のポーリング処理を行うことにより、通信可能な受信機の識別情報を格納したポーリングリストを作成する第１ステップと、上記ポーリングリストに基づき、上記送信機に上記複数の受信機のポーリング処理を実行させる第２ステップとを備えていることを特徴としている。
【００１３】
また、本発明のデータ伝送の管理システムは、１台の送信機と複数の受信機との間におけるデータ伝送の管理システムにおいて、上記送信機は、通信開始時に上記送信機を用いて全受信機のポーリング処理を行うことにより、通信可能な受信機の識別情報を格納したポーリングリストを作成するとともに、上記ポーリングリストに基づき、各受信機に対するポーリング処理を実行することを特徴としている。
【００１４】
上記構成によれば、送信機は、全受信機のポーリング処理を行うことによりポーリングリストを作成することによって、全受信機のうちどの受信機が通信可能であるのかを知ることができる。なお、ポーリング処理とは、送信機が受信機に対してダウンリンク情報を送信することにより、受信機から送信機に送信すべきアップリンク情報があるか否かを受信機に尋ねる処理をいう。
【００１５】
したがって、一旦ポーリングリストを作成した後は、そのポーリングリストに基づいてポーリング処理を行うので、送信機は、全部の受信機のうち一部の通信可能な受信機とポーリング処理を行うことができる。したがって、送信機が、通信不可能な受信機にアップリンク情報の送信を要求することを防止できる。これにより、送信機が複数の受信機にアップリンク情報の送信要求をするための時間を短縮し、１台の受信機が送信機とデータを伝送するための時間を、従来よりも長く設定できる。
【００１６】
したがって、通信可能な受信機が、不完全な形態で送信機から受信したデータの再送を、送信機に対して要求する回数を増やすことができる。これにより、データをより確実かつ完全な形態で送信機から受信機に伝送することができる。それゆえ、受信機における受信データの再現性を向上させることができる。
【００１７】
また、本発明のデータ伝送の管理方法は、上記課題を解決するために、上記構成のデータ伝送の管理方法において、上記第２ステップにて、上記ポーリングリストに識別情報が格納されている受信機のみに上記送信機からダウンリンク情報を送信することを特徴としている。
【００１８】
上記構成によれば、送信機は、ポーリングリストに識別情報が格納されている受信機のみにダウンリンク情報を送信するので、全受信機にダウンリンク情報を送信することは行わない。したがって、送信機から複数の受信機に対してダウンリンク情報を送信するための時間を従来よりも短縮することができ、１台の受信機が送信機とデータを伝送するための時間を、従来よりも長く設定できる。
【００１９】
すなわち、不完全な形態で受信したデータの再送を受信機が要求する回数を増やすことができる。これにより、データをより確実かつ完全な形態で送信機から受信機に伝送し、受信機におけるデータ再現性を向上させることができる。
【００２０】
また、本発明のデータ伝送の管理方法は、上記課題を解決するために、上記構成のデータ伝送の管理方法において、上記第２ステップにて、上記ポーリングリストに識別情報が格納されている受信機のみから上記送信機に対して、アップリンク情報を送信することを特徴としている。
【００２１】
上記構成によれば、ポーリングリストに識別情報が格納されている受信機のみが送信機に対してアップリンク情報を送信するので、全受信機が送信機に対してアップリンク情報を送信するということは行わない。したがって、１台の受信機が送信機とデータを伝送するための時間を、従来よりも長く設定できる。
【００２２】
すなわち、受信機は、送信機から不完全な形態で受信したデータの再送をより多くの回数だけ送信機に対して要求することができる。これにより、データをより確実かつ完全な形態で送信機から受信機に伝送し、受信機におけるデータ再現性を向上させることができる。
【００２３】
また、本発明のデータ伝送の管理方法は、上記課題を解決するために、上記構成のデータ伝送の管理方法において、上記第１ステップと上記第２ステップとを交互に繰り返して実行することを特徴としている。
【００２４】
すなわち、第２ステップの実行中に、ある受信機が通信可能から通信不可能の状態になったり、あるいは通信不可能から通信可能の状態になったりする場合がある。このような場合において、本発明の上記構成によれば、第１ステップを実行し全受信機のポーリング処理を行うので、どの受信機が通信可能であるかを的確に把握してポーリングリストを更新することができる。
【００２５】
そして、更新されたポーリングリストに基づき、第２ステップを実行することにより、送信機は、現在通信可能な受信機とのみポーリング処理を行うことができる。したがって、送信機が既に通信不可能になっている受信機にアップリンク情報の送信を要求することを防止できるので、１台の受信機が送信機とデータを伝送するための時間を、より長く設定できる。
【００２６】
また、本発明のデータ伝送の管理方法は、上記課題を解決するために、上記構成のデータ伝送の管理方法において、上記第２ステップにて、上記送信機がポーリング処理を行うことができない受信機の識別情報を、上記ポーリングリストから除外することを特徴としている。
【００２７】
上記構成によれば、第２ステップにおいて送信機がポーリング処理を行うことができない受信機の識別情報は、ポーリングリストから外される。したがって、送信機は、現在通信可能である受信機をポーリングリストに基づきより的確に把握し、送信機が既に通信不可能になっている受信機にアップリンク情報の送信を要求することを防止できる。
【００２８】
それゆえ、１台の受信機が送信機とデータを伝送するための時間を、より長く設定できる。
【００２９】
また、本発明のデータ伝送の管理方法は、上記課題を解決するために、上記構成のデータ伝送の管理方法において、上記第２ステップを実行した後に実行される上記第１ステップにおいて、該第２ステップでポーリング処理されていない受信機のみをポーリング処理することを特徴としている。
【００３０】
上記構成によれば、第２ステップを実行した後に実行される第１ステップにおいて、全受信機のポーリング処理を行うのではなく、第２ステップにおいてポーリング処理されていない受信機のみをポーリング処理する。したがって、第１ステップにおけるポーリングリスト作成のための時間を短縮することができる。
【００３１】
それゆえ、第２ステップにおいて、１台の受信機が送信機とデータを伝送するための時間を、より長く設定できる。したがって、受信機から送信機へのデータ再送要求の回数を増やし、データをより確実かつ完全な形態で送信機から受信機に伝送することができる。
【００３２】
また、本発明のデータ伝送の管理方法は、上記課題を解決するために、上記構成のデータ伝送の管理方法において、上記第２ステップにて、全部の受信機についてポーリング処理が行われている場合、前回の第２ステップで用いたポーリングリストをそのまま次回の第２ステップで用いることを特徴としている。
【００３３】
ここで、第２ステップにおいて全部の受信機に対してポーリング処理が行われているのならば、次回の第２ステップが実行されるまでの間に受信機のいずれかが通信不可能になる可能性は低い。つまり、前回の第２ステップで全部の受信機に対してポーリング処理が行われているならば、ポーリングリストを変更する必要性は少ないといえる。
【００３４】
したがって、このような場合にまで第１ステップを実行してポーリングリストを作成しなおすと、処理時間が長くなるおそれがある。
【００３５】
本発明によれば、第２ステップにおいて送信機が全部の受信機に対してポーリング処理を行っている場合、次回の第２ステップにおいて前回の第２ステップで用いたポーリングリストを用いてポーリング処理を行う。したがって、第１ステップによりポーリングリストを作成しなおす手順を省略することができる。
【００３６】
これにより、第２ステップにおいて、１台の受信機が送信機とデータを伝送するための時間を、より長く設定できる。したがって、受信機から送信機へのデータ再送要求の回数を増やし、データをより確実かつ完全な形態で送信機から受信機に伝送することができる。
【００３７】
また、本発明のデータ伝送の管理方法は、上記課題を解決するために、上記構成のデータ伝送の管理方法において、上記ポーリングリストに格納されている受信機の識別情報の数に応じて、以下の（ｉ）または（ｉｉ）の処理、すなわち
（ｉ）上記第２ステップを実行した後に実行される上記第１ステップにおいて、該第２ステップでポーリング処理されていない受信機のみをポーリング処理する処理
（ｉｉ）前回の第２ステップで用いたポーリングリストをそのまま次回の第２ステップで用いる処理
のいずれかを実行することを特徴としている。
【００３８】
上記構成によれば、ポーリングリストに格納されている受信機の識別情報の数に応じて（ｉ）または（ｉｉ）の処理を選択して実行する。
【００３９】
ここで、（ｉ）の処理によれば、第１ステップにおいてポーリング処理する受信機の数を低減することができる。したがって、（ｉ）の処理は、ポーリングリストに格納されている受信機の識別情報の数が、受信機からの送信機に対するデータ再送の要求の数よりも多い場合に、効率的な処理を行うことができる点で有利な処理である。
【００４０】
また、（ｉｉ）の処理によれば、第１ステップによりポーリングリストを作成しなおす手順を省略することができる。したがって、（ｉｉ）の処理は、ポーリングリストに格納されている受信機の識別情報の数が、全受信機の数と一致している場合に効率的な処理を行うことができる点で有利である。
【００４１】
このように、本発明によれば、ポーリングリストに格納されている受信機の識別情報の数に応じて、第１ステップにおいてポーリング処理する受信機の数を低減するか、あるいは第１ステップそのものを省略することができる。したがって、第２ステップにおいて、１台の受信機が送信機とデータ伝送を行うための時間をより効率的に長く設定することができる。したがって、受信機から送信機へのデータ再送要求の回数を増やし、データをより確実かつ完全な形態で送信機から受信機に伝送することができる。
【００４２】
また、本発明のデータ伝送の管理方法は、上記課題を解決するために、上記構成のデータ伝送の管理方法において、上記ポーリングリスト内に識別情報が格納されている各受信機のデータ通信状態に基づき、各受信機からの上記送信機に対するデータ再送の要求回数を決定することを特徴としている。たとえば、上記送信機との通信状態が悪い受信機については、それ以外の受信機よりもデータ再送の要求回数を多く設定する。あるいは、上記送信機との通信状態が悪い受信機については、該受信機との通信を停止するとともに、上記送信機との通信状態が良好である受信機について、それ以外の受信機よりもデータ再送の要求回数を多く設定するようにしてもよい。
【００４３】
上記構成によれば、各受信機の通信状態に基づき、各受信機からの送信機に対するデータ再送の要求回数を決定する。たとえば、通信状態の悪い受信機については、それ以外の受信機よりもデータ再送の要求回数を多く設定することができる。
【００４４】
これにより、通信状態の悪い受信機は、他の受信機よりも多い回数だけデータ再送の要求を行うことができるので、より確実かつ完全な形態でデータを送信機から受信することができる。一方、通信状態の悪い受信機以外の受信機は、通信状態の悪い受信機よりもデータ再送の要求が少なくても、通信状態が比較的良好であることにより、確実かつ完全な形態でデータを送信機から受信することができる。
【００４５】
また、通信状態が極度に悪い受信機については、データの再送を何度行ったとしても、完全な形態で送信機からのデータを受信できないことも予想される。このような場合、徒に通信状態の悪い受信機のデータ再送要求回数を増やすと、他の受信機のデータ再送要求回数が制限され、良好な形態で送信機からのデータを受信することができなくなってしまう。
【００４６】
したがって、通信状態が極度に悪い受信機が存在する場合は、該受信機との通信を停止するとともに、送信機との通信状態が良好である受信機について、それ以外の受信機よりもデータ再送の要求回数を多く設定するようにしてもよい。
【００４７】
これにより、通信状態が良好である受信機において、全くデータ再送の要求を行えず、送信機からのデータを受信できないということを防止できる。
【００４８】
したがって、複数の受信機における受信データの再現性を、より効率的に向上させることができる。
【００４９】
また、本発明のデータ伝送の管理方法は、上記課題を解決するために、上記構成のデータ伝送の管理方法において、上記受信機が受信したデータのエラーレート情報を、該受信機の上記送信機に対するデータ再送の要求と同時に、該受信機から上記送信機に送信することを特徴としている。
【００５０】
上記構成によれば、受信機がデータ再送の要求とともに、受信データのエラーレート情報を送信機に送信するので、送信機側において、受信機側の受信データのエラーレートを管理することが可能となる。
【００５１】
したがって、送信機と各受信機との通信状態をエラーレート情報に基づいてより的確に把握し、各受信機からの送信機に対するデータ再送の要求回数をより精度よく決定することができる。
【００５２】
それゆえ、複数の受信機における受信データの再現性を、より効率的に向上させることができる。
【００５３】
また、本発明のデータ伝送の管理方法は、上記課題を解決するために、上記構成のデータ伝送の管理方法において、上記受信機から該送信機に対して再送の要求があったデータのエラーレートを、上記送信機により算出することを特徴としている。
【００５４】
上記構成によれば、送信機は、受信機から該送信機に対して再送の要求があったデータのエラーレートを算出する。送信機は、算出されたエラーレートが高ければ、そのデータの再送を要求した受信機との通信状態があまり良くないというように、受信機との通信状態をより的確に把握することができる。
【００５５】
これにより、各受信機からの送信機に対するデータ再送の要求回数をより精度よく決定することができる。それゆえ、複数の受信機における受信データの再現性を、より効率的に向上させることができる。
【００５６】
また、本発明のデータ伝送の管理方法は、上記課題を解決するために、上記構成のデータ伝送の管理方法において、上記受信機が受信したデータのエラーレート情報を、該受信機の上記送信機に対するデータ再送の要求と同時に、該受信機から上記送信機に送信する一方で、上記受信機から該送信機に対して再送の要求があったデータのエラーレートを、上記送信機により算出することを特徴としている。
【００５７】
上記構成によれば、受信機側から送信機に送信されるエラーレート情報と、送信機側において算出されるエラーレートとに基づいて、送信機と受信機との通信状態を把握することができる。
【００５８】
したがって、各受信機からの送信機に対するデータ再送の要求回数をさらに精度よく決定することができ、複数の受信機における受信データの再現性を、さらに効率的に向上させることができる。
【００５９】
【発明の実施の形態】
本発明のデータ伝送の管理方法の一実施形態について、添付する図面を用いて説明すれば以下のとおりである。
【００６０】
本実施の形態のデータ伝送の管理方法におけるプロセスは、サーチ期間（第１ステップ）と処理期間（第２ステップ）とに分けることができる。図２に示すように、前者のサーチ期間において、本実施の形態のデータ伝送の管理方法における送信機は、先ず受信機をサーチする（Ｓ１０）。なお、サーチとは、送信機が全ての受信機との通信を試みることを指す。
【００６１】
その後、Ｓ１１において、送信機は、全受信機のポーリング処理を行う。さらに、Ｓ１１において、送信機は、アップリンク情報を送信した受信機の固有ＩＤ（識別情報）をポーリングリストに入れることにより、ポーリングリストを決定する（Ｓ１２）。なお、Ｓ１２において決定されるポーリングリストは、受信機から送信されるアップリンク情報に基づいているので、該ポーリングリストに基づけば、確実に通信可能な全受信機を確認できるといえる。また、ポーリングリストの決定後、処理期間へ移行する（Ｓ１３）。
【００６２】
以上のＳ１０〜Ｓ１３を踏むことにより、送信機はサーチ期間における動作を終了させる。
【００６３】
次に、処理期間におけるデータ伝送の管理方法の手順ついて、図３を用いて説明する。図３に示すように、サーチ期間の処理の後（Ｓ２０）、Ｓ２１にて、送信機は、Ｓ１２（図２）で決定されたポーリングリストに固有ＩＤが格納されている受信機が通信不可能であるか否かを判断する。なお、Ｓ２０における処理は、上記のＳ１０〜Ｓ１３の処理を含んでいる。
【００６４】
Ｓ２１にて受信機が通信不可能であると判断された場合、送信機は、Ｓ２２にてポーリングリストを修正する。より具体的には、サーチ期間のＳ１２で決定されたポーリングリスト内に含まれている受信機について、ポーリング処理を行い、アップリンク情報を受信しない受信機の固有ＩＤを、ポーリングリストから随時外すことにより、送信機はポーリングリストの修正を行う。Ｓ２２の後、所定の処理時間が終了しているか否かを判断する（Ｓ２３）。一方、Ｓ２１にて受信機が通信不可能でないと判断された場合、本実施の形態のデータ伝送の管理方法は、Ｓ２３における処理時間の終了判断ステップに移行する。
【００６５】
Ｓ２３にて、処理時間を終了してもよいと判断された場合、送信機は、Ｓ２０における受信機サーチへ移行する。一方、Ｓ２３において処理期間を終了させないと判断された場合、送信機は、Ｓ２１における受信機の通信可否の判断ステップに戻る。
【００６６】
以上のＳ２０〜Ｓ２３を踏むことにより、送信機は、処理期間における動作を終了させる。なお、図１に、本実施の形態のデータ伝送の管理方法における送信機と第１〜第Ｎ受信機との通信状態の一例を示す。
【００６７】
図１に示すように、サーチ期間におけるポーリングリスト決定処理により、第１受信機２０と第２受信機２０とが通信可能と判断され、第１受信機２０の固有ＩＤ１と、第２受信機２０の固有ＩＤ２とが送信機１０のポーリングリストに格納されているとする。一方、通信可能でないと判断された第３〜第Ｎ受信機２０の固有ＩＤは、送信機１０のポーリングリストには格納されていない。
【００６８】
なお、各受信機２０…には、ＲＯＭやＩＣのポートピン等によって、各受信機で異なる固有ＩＤが予め書き込まれている。また、ポーリングリストは、送信機１０のメモリに記憶されている。
【００６９】
この場合、送信機１０は、ダウンリンク情報に固有ＩＤ１と固有ＩＤ２とを付加することより、第１受信機２０あるいは第２受信機２０との通信を順次繰り返す。また、通信不可能な受信機である第３〜第Ｎ受信機２０は、送信機１０に対してアップリンク情報を送信しない。
【００７０】
したがって、第１〜第Ｎ受信機との通信を順次繰り返す従来技術よりも、本実施の形態のデータ伝送の管理方法によれば、１つの受信機あたりの再送要求回数を増加させることができ、受信機における画像品質を向上させることができる。
【００７１】
ところで、上述の手順では、Ｓ１１において全受信機とのポーリング処理を行うことにより、通信可能な受信機の固有ＩＤだけがポーリングリストに格納されることになる。この方法は、通信可能な受信機の数が受信機からの再送要求回数と同等な場合に有効である。
【００７２】
また、処理期間中に通信可能な受信機の電源をＯＦＦにした場合、該受信機は通信不可能になる。このような場合、送信機は、アップリンク情報を受信しない受信機の固有ＩＤをＳ２２の処理においてポーリングリストから随時外す。これにより、通信可能な受信機の再送要求回数を多く取ることができる。
【００７３】
しかしながら、通信可能な受信機が多くなればサーチ期間を短くして処理期間を多く取る方が有効である。したがって、送信機は、Ｓ２３を経てＳ２０のサーチ期間処理へ戻る場合、サーチ期間に入る前のポーリングリストを記憶しておき、そのポーリングリストに格納されていない固有ＩＤを持つ受信機のみとサーチ期間で通信を試みる。
【００７４】
そして、通信が可能な受信機が存在した場合には、その固有ＩＤをポーリングリストに追加し、処理期間に移行する。このように、全受信機とのポーリング処理を行わず、ポーリングリストに固有ＩＤが格納されていない一部の受信機のみとのポーリング処理を行うことにより、サーチ時間の短縮化を実現することができる。
【００７５】
なお、Ｓ２３からＳ２０に戻った後の処理期間におけるＳ２２の処理でも、通信不可能となった受信機の固有ＩＤをポーリングリストから外し、再送要求回数を多くしても良い。
【００７６】
また、上述の手順において、サーチ期間を設けることにより、不特定多数の通信不可能な受信機と通信を試みる必要が生じる。通信不可能な受信機と通信を試みるのに必要な時間が増加すると、通信を終了させるための時間は一定に限られているので、受信機側から再送要求できる時間が減少してしまう。その結果、受信機から再送要求回数が低下する場合がある。
【００７７】
したがって、全受信機が通信可能な場合には、サーチ期間を設けることなく処理期間のみの通信を行い、１台の受信機が電源ＯＦＦ等により通信不可能になった場合に処理期間の通信からサーチ期間の通信に移行するようにしてもよい。これにより、サーチ期間を短くして、受信機からの再送要求に必要な時間を確保することができる。
【００７８】
なお、上述の方法は、サーチ期間を設けるか否かは、ポーリングリストに格納されている固有ＩＤの総数に応じて変更するようにハイブリッド制御してもよい。すなわち、送信機において、ポーリングリストに格納されている固有ＩＤの総数をサーチ期間終了時に随時確認し、前述の再送要求回数と同じ数の通信可能な受信機があった場合に、サーチ期間にて通信可能な受信機を確実に確認するようにしてもよい。
【００７９】
また、再送要求回数よりポーリングリストに格納されている固有ＩＤが多ければ、サーチ期間を短くして通信可能な受信機の再送要求回数を多く取り、全受信機が通信可能な場合には、サーチ期間を設けないようにしてもよい。
【００８０】
さらに、通信可能な受信機の中には、無線ＬＡＮ等の電波による妨害で、通信状態が極めて悪いものも存在する。したがって、この場合には上述したポーリングリストを用いる受信機の管理方法と合わせて、エラーレートを管理する必要がある。このエラーレートを管理する方法について、以下に説明する。
【００８１】
受信機のアップリンク情報に付加されている再送要求画像データの数は、受信機側で誤り訂正が不可能な画像データの数であると考えてよい。したがって、送信機は、受信した再送要求画像データの数を確認することで、各々の受信機の通信状態を知ることができる。あるいは、受信機にて受信データのエラーレートを算出し、このエラーレート情報をアップリンク情報に付加して送信機に送信してもよい。
【００８２】
送信機は、この通信状態に基づいて、たとえば、ある受信機の再送要求画像データの数が他の受信機に比べて２倍である時には、通信状態の悪い受信機の再送要求回数を２倍にする。一方で、その他の通信可能な受信機の再送回数を１／２とするというように、各々の受信機の再送要求回数を決定することも可能である。
【００８３】
さらに、通信可能な受信機からアップリンク情報を送信機側で受信した時に、アップリンク情報内のデータについて送信機が誤り訂正したエラー数から、受信機の受信データのエラーレートを送信機側で算出するようにしてもよい。そして、算出されたエラーレートを、通信可能な受信機別に送信機のメモリ等に格納しておくことにより、その受信機の通信状態を把握するようにしてもよい。そして、その把握された通信状態に基づいて、通信可能な受信機の再送要求回数を決定しても良い。
【００８４】
また、通信路によっては、通信データ内にランダムにデータ誤りが起こる「ランダム誤り」の他に、通信データ内に連続してデータ誤りが起こる「バースト誤り」も存在する。
【００８５】
バースト誤りのある通信状態で、前述のように誤り訂正したエラー数に基づく再送要求回数の決定方法を行うと、通信状態を良好とするためには再送要求回数を増やす必要がある。その結果、その他の受信機の再送要求回数が減ってしまう場合がある。
【００８６】
そのような場合、送信機は、受信機からの再送要求された画像データ数と、送信機が算出するエラーレートとの両方で通信状態を確認することが望ましい。これにより、バースト誤りによる微少時間のエラーかどうかを確実に判別することができる。したがって、通信状態の信頼性を高め、適切な再送要求回数を通信可能な受信機に割り振ることができる。
【００８７】
以上のように再送要求回数を決定してもなお、エラー訂正できず、画像停止、ブロックノイズ等の画像品質上の問題が発生するような通信可能な受信機が存在することも考えられる。そのような場合、送信機は、画像品質上の問題が発生する受信機の固有ＩＤをポーリングリストから外し、その他の通信可能な受信機の再送要求回数を多くすることで、比較的良好な通信状態である受信機の画像品質を劣化させることが無いようにすればよい。
【００８８】
なお、本発明のデータ伝送の管理方法による作用効果は、１台の送信機と複数台の受信機を有し、上記受信機は予め各々異なる固有ＩＤを持ち、受信データに誤りがある場合には、上記誤りを訂正する機能を持ち、受信データの誤りを訂正できない場合は上記訂正できなかったデータに対して再送要求データを送信する手段を持ち、送信機は受信機の固有ＩＤをポーリングリスト内に記憶する手段と、このポーリングリストに従ってポーリング処理を行う手段を持つ構成のＳＳ無線画像伝送システムによっても実現可能である。
【００８９】
また、上記構成のＳＳ無線画像伝送システムにおいて、送信機が、コントロールメッセージに受信機の固有ＩＤを付加して送る手段を有し、送信機のポーリング処理中に通信可能な固有ＩＤを持つ受信機の他の受信機は、アップリンクメッセージを送らない構成であってもよい。
【００９０】
また、上記構成のＳＳ無線画像伝送システムにおいて、送信機が、通信可能な受信機をサーチする期間（サーチ期間）と、ポーリング処理をする期間（処理期間）を持つ構成であってもよい。
【００９１】
さらに、上記構成のＳＳ無線画像伝送システムにおいて、送信機は処理期間中に受信機の電源が切れて通信不可となった場合、上記受信機をポーリングリストから外すことで上記受信機のみポーリング処理をしない構成であってもよい。
【００９２】
また、上記構成のＳＳ無線画像伝送システムにおいて、送信機は、サーチ期間に全受信機の固有ＩＤをポーリングリストに入れ、処理期間に通信しない受信機の固有ＩＤをポーリングリストから外す構成であってもよい。
【００９３】
さらに、上記構成のＳＳ無線画像伝送システムにおいて、送信機は、処理期間中に通信していない受信機のみサーチする構成であってもよい。
【００９４】
また、上記構成のＳＳ無線画像伝送システムにおいて、送信機の処理期間中に全台の受信機が通信している場合、サーチ期間を設けない構成であってもよい。
【００９５】
また、上記構成のＳＳ無線画像伝送システムにおいて、ポーリングリストに格納されている固有ＩＤの総数に応じて、サーチ期間の処理方法を変更する構成であってもよい。
【００９６】
さらに、上記構成のＳＳ無線画像伝送システムにおいて、通信状態の悪い受信機が存在する場合、その受信機の通信回数を増やすことにより再送要求回数を多くする構成であってもよい。
【００９７】
また、上記構成のＳＳ無線画像伝送システムにおいて、受信機が再送要求データを送信する際、エラーレート情報も同時に送り、送信機は各々の受信機の通信状態を管理する構成であってもよい。
【００９８】
さらに、上記構成のＳＳ無線画像伝送システムにおいて、送信機は、受信機が送信した再送要求データのエラーレートを算出し、各々の受信機の通信状態を管理する構成であってもよい。
【００９９】
また、上記構成のＳＳ無線画像伝送システムにおいて、受信機が送信するエラーレート情報と送信機が算出するエラーレート情報の両方で通信状態を管理する構成であってもよい。
【０１００】
さらに、上記構成のＳＳ無線画像伝送システムにおいて、再送要求回数を増やしたにも係らず、誤り訂正できないような極度に通信状態の悪い受信機との通信を止めて通信状態の良い受信機の再送要求を増やす構成であってもよい。
【０１０１】
【発明の効果】
本発明のデータ伝送の管理方法は、以上のように、通信開始時に上記送信機を用いて全受信機のポーリング処理を行うことにより、通信可能な受信機の識別情報を格納したポーリングリストを作成する第１ステップと、上記ポーリングリストに基づき、上記送信機に上記複数の受信機のポーリング処理を実行させる第２ステップとを備えている方法である。
【０１０２】
また、本発明のデータ伝送の管理システムは、以上のように、送信機が、通信開始時に上記送信機を用いて全受信機のポーリング処理を行うことにより、通信可能な受信機の識別情報を格納したポーリングリストを作成するとともに、上記ポーリングリストに基づき、各受信機に対するポーリング処理を実行するものである。
【０１０３】
上記構成によれば、送信機は、ポーリングリストに基づいてポーリング処理を行うので、送信機は、全部の受信機のうち一部の通信可能な受信機とポーリング処理を行うことができる。これにより、送信機が複数の受信機にアップリンク情報の送信要求をするための時間を短縮し、１台の受信機が送信機とデータを伝送するための時間を、従来よりも長く設定できる。
【０１０４】
したがって、通信可能な受信機が、不完全な形態で送信機から受信したデータの再送を、送信機に対して要求する回数を増やすことができる。それゆえ、データをより確実かつ完全な形態で送信機から受信機に伝送し、受信機における受信データの再現性を向上させることができるという効果を奏する。
【０１０５】
また、本発明のデータ伝送の管理方法は、以上のように、上記構成のデータ伝送の管理方法において、上記第２ステップにて、上記ポーリングリストに識別情報が格納されている受信機のみに上記送信機からダウンリンク情報を送信する方法である。
【０１０６】
上記構成によれば、送信機は、ポーリングリストに識別情報が格納されている受信機のみにダウンリンク情報を送信するので、全受信機にダウンリンク情報を送信することは行わない。したがって、送信機から複数の受信機に対してダウンリンク情報を送信するための時間を従来よりも短縮することができ、１台の受信機が送信機とデータを伝送するための時間を、従来よりも長く設定できる。
【０１０７】
すなわち、不完全な形態で受信したデータの再送を受信機が要求する回数を増やすことができる。それゆえ、データをより確実かつ完全な形態で送信機から受信機に伝送し、受信機におけるデータ再現性を向上させることができるという効果を奏する。
【０１０８】
また、本発明のデータ伝送の管理方法は、以上のように、上記構成のデータ伝送の管理方法において、上記第２ステップにて、上記ポーリングリストに識別情報が格納されている受信機のみから上記送信機に対して、アップリンク情報を送信する方法である。
【０１０９】
上記構成によれば、ポーリングリストに識別情報が格納されている受信機のみが送信機に対してアップリンク情報を送信するので、全受信機が送信機に対してアップリンク情報を送信するということは行わない。したがって、１台の受信機が送信機とデータを伝送するための時間を、従来よりも長く設定できる。
【０１１０】
すなわち、受信機は、送信機から不完全な形態で受信したデータの再送をより多くの回数だけ送信機に対して要求することができる。それゆえ、データをより確実かつ完全な形態で送信機から受信機に伝送し、受信機におけるデータ再現性を向上させることができるという効果を奏する。
【０１１１】
また、本発明のデータ伝送の管理方法は、以上のように、上記構成のデータ伝送の管理方法において、上記第１ステップと上記第２ステップとを交互に繰り返して実行する方法である。
【０１１２】
上記構成によれば、第１ステップを実行し全受信機のポーリング処理を行うので、どの受信機が通信可能であるかを的確に把握してポーリングリストを更新することができる。そして、更新されたポーリングリストに基づき、第２ステップを実行することにより、送信機は、現在通信可能な受信機とのみポーリング処理を行うことができる。
【０１１３】
したがって、送信機が既に通信不可能になっている受信機にアップリンク情報の送信を要求することを防止し、１台の受信機が送信機とデータを伝送するための時間をより長く設定できる。それゆえ、データをより確実かつ完全な形態で送信機から受信機に伝送し、受信機におけるデータ再現性を向上させることができるという効果を奏する。
【０１１４】
また、本発明のデータ伝送の管理方法は、以上のように、上記構成のデータ伝送の管理方法において、上記第２ステップにて、上記送信機がポーリング処理を行うことができない受信機の識別情報を、上記ポーリングリストから除外する方法である。
【０１１５】
上記構成によれば、第２ステップにおいて送信機がポーリング処理を行うことができない受信機の識別情報は、ポーリングリストから外される。したがって、送信機は、現在通信可能である受信機をポーリングリストに基づきより的確に把握し、送信機が既に通信不可能になっている受信機にアップリンク情報の送信を要求することを防止できる。
【０１１６】
それゆえ、１台の受信機が送信機とデータを伝送するための時間を、より長く設定できるという効果を奏する。
【０１１７】
また、本発明のデータ伝送の管理方法は、以上のように、上記構成のデータ伝送の管理方法において、上記第２ステップを実行した後に実行される上記第１ステップにおいて、該第２ステップでポーリング処理されていない受信機のみをポーリング処理する方法である。
【０１１８】
上記構成によれば、第２ステップを実行した後に実行される第１ステップにおいて、全受信機のポーリング処理を行うのではなく、第２ステップにおいてポーリング処理されていない受信機のみをポーリング処理する。したがって、第１ステップにおけるポーリングリスト作成のための時間を短縮し、第２ステップにおいて、１台の受信機が送信機とデータを伝送するための時間を、より長く設定できる。それゆえ、受信機から送信機へのデータ再送要求の回数を増やし、データをより確実かつ完全な形態で送信機から受信機に伝送することができるという効果を奏する。
【０１１９】
また、本発明のデータ伝送の管理方法は、以上のように、上記構成のデータ伝送の管理方法において、上記第２ステップにて、全部の受信機についてポーリング処理が行われている場合、前回の第２ステップで用いたポーリングリストをそのまま次回の第２ステップで用いる方法である。
【０１２０】
上記構成によれば、第２ステップにおいて送信機が全部の受信機に対してポーリング処理を行っている場合、次回の第２ステップにおいて前回の第２ステップで用いたポーリングリストを用いてポーリング処理を行う。したがって、第１ステップによりポーリングリストを作成しなおす手順を省略することができる。
【０１２１】
これにより、第２ステップにおいて、１台の受信機が送信機とデータを伝送するための時間を、より長く設定できる。それゆえ、受信機から送信機へのデータ再送要求の回数を増やし、データをより確実かつ完全な形態で送信機から受信機に伝送することができるという効果を奏する。
【０１２２】
また、本発明のデータ伝送の管理方法は、以上のように、上記構成のデータ伝送の管理方法において、上記ポーリングリストに格納されている受信機の識別情報の数に応じて、以下の（ｉ）または（ｉｉ）の処理、すなわち（ｉ）上記第２ステップを実行した後に実行される上記第１ステップにおいて、該第２ステップでポーリング処理されていない受信機のみをポーリング処理する処理、（ｉｉ）前回の第２ステップで用いたポーリングリストをそのまま次回の第２ステップで用いる処理のいずれかを実行する方法である。
【０１２３】
上記構成によれば、ポーリングリストに格納されている受信機の識別情報の数に応じて、第１ステップにおいてポーリング処理する受信機の数を低減するか、あるいは第１ステップそのものを省略することができる。したがって、第２ステップにおいて、１台の受信機が送信機とデータ伝送を行うための時間をより効率的に長く設定することができる。それゆえ、受信機から送信機へのデータ再送要求の回数を増やし、データをより確実かつ完全な形態で送信機から受信機に伝送することができるという効果を奏する。
【０１２４】
また、本発明のデータ伝送の管理方法は、以上のように、上記構成のデータ伝送の管理方法において、上記ポーリングリスト内に識別情報が格納されている各受信機のデータ通信状態に基づき、各受信機からの上記送信機に対するデータ再送の要求回数を決定する方法である。たとえば、上記送信機との通信状態が悪い受信機については、それ以外の受信機よりもデータ再送の要求回数を多く設定する。あるいは、上記送信機との通信状態が悪い受信機については、該受信機との通信を停止するとともに、上記送信機との通信状態が良好である受信機について、それ以外の受信機よりもデータ再送の要求回数を多く設定するようにしてもよい。
【０１２５】
上記構成によれば、各受信機の通信状態に基づき、各受信機からの送信機に対するデータ再送の要求回数を決定する。たとえば、通信状態の悪い受信機については、それ以外の受信機よりもデータ再送の要求回数を多く設定することができる。あるいは、通信状態が極度に悪い受信機が存在する場合は、該受信機との通信を停止するとともに、送信機との通信状態が良好である受信機について、それ以外の受信機よりもデータ再送の要求回数を多く設定する。
【０１２６】
それゆえ、複数の受信機における受信データの再現性を、より効率的に向上させることができるという効果を奏する。
【０１２７】
また、本発明のデータ伝送の管理方法は、以上のように、上記構成のデータ伝送の管理方法において、上記受信機が受信したデータのエラーレート情報を、該受信機の上記送信機に対するデータ再送の要求と同時に、該受信機から上記送信機に送信する方法である。
【０１２８】
上記構成によれば、送信機と各受信機との通信状態をエラーレート情報に基づいてより的確に把握し、各受信機からの送信機に対するデータ再送の要求回数をより精度よく決定することができる。
【０１２９】
それゆえ、複数の受信機における受信データの再現性を、より効率的に向上させることができるという効果を奏する。
【０１３０】
また、本発明のデータ伝送の管理方法は、以上のように、上記構成のデータ伝送の管理方法において、上記受信機から該送信機に対して再送の要求があったデータのエラーレートを、上記送信機により算出する方法である。
【０１３１】
上記構成によれば、送信機は、受信機から該送信機に対して再送の要求があったデータのエラーレートを算出する。送信機は、算出されたエラーレートが高ければ、そのデータの再送を要求した受信機との通信状態があまり良くないというように、受信機との通信状態をより的確に把握することができる。
【０１３２】
これにより、各受信機からの送信機に対するデータ再送の要求回数をより精度よく決定することができる。それゆえ、複数の受信機における受信データの再現性を、より効率的に向上させることができるという効果を奏する。
【０１３３】
また、本発明のデータ伝送の管理方法は、以上のように、上記構成のデータ伝送の管理方法において、上記受信機が受信したデータのエラーレート情報を、該受信機の上記送信機に対するデータ再送の要求と同時に、該受信機から上記送信機に送信する一方で、上記受信機から該送信機に対して再送の要求があったデータのエラーレートを、上記送信機により算出する方法である。
【０１３４】
上記構成によれば、受信機側から送信機に送信されるエラーレート情報と、送信機側において算出されるエラーレートとに基づいて、送信機と受信機との通信状態を把握することができる。
【０１３５】
したがって、各受信機からの送信機に対するデータ再送の要求回数をさらに精度よく決定することができ、複数の受信機における受信データの再現性を、さらに効率的に向上させることができるという効果を奏する。
【図面の簡単な説明】
【図１】本発明のデータ伝送の管理方法の一実施形態における送信機と受信機とのデータ伝送の状態を時系列に沿って示す模式図である。
【図２】図１の送信機がサーチ期間に行う処理を示すフローチャートである。
【図３】図１の送信機が処理期間に行う処理を示すフローチャートである。
【図４】従来のデータ伝送の管理方法による送信機と受信機とのデータ伝送の状態を時系列に沿って示す模式図である。
【符号の説明】
１０　送信機
２０　受信機
【図１】
2004072435.tif 000003
【図２】
2004072435.tif 000004
【図３】
2004072435.tif 000005
【図４】
2004072435.tif 000006